(57)【要約】【課題】  本体部に対して可倒収納式取っ手を安定させると共に、取扱い容易なトナーカートリッジを実現する。【解決手段】  本体部２に対して、支軸６を中心として回動可能に取り付けられた取っ手３を備えたトナーカートリッジ１であって、本体部２は、取っ手３が全開位置にある状態で、取っ手３の把持部４が本体部２の重心と支軸６とを結ぶ直線よりも取っ手３の可倒側に位置するとともに、本体部２の収納姿勢において、取っ手３の全開位置での角度が鉛直下方に対して１８０度未満となるように、取っ手３の回動範囲を制限するように構成されている。【選択図】        図３
2005274652.tif 000002
【特許請求の範囲】
【請求項１】
本体部に対して、支軸を中心として回動可能に取り付けられた取っ手を備えたトナーカートリッジであって、
前記本体部は、前記取っ手が全開位置にある状態で、前記取っ手の把持部が前記本体部の重心と前記支軸とを結ぶ直線よりも前記取っ手の可倒側に位置するとともに、前記本体部の収納姿勢において、前記取っ手の全開位置での角度が鉛直下方に対して１８０度未満となるように、前記取っ手の回動範囲を制限するように構成されているトナーカートリッジ。
【請求項２】
本体部に対して、支軸を中心として回動可能に取り付けられた取っ手を備えたトナーカートリッジであって、
前記取っ手は、把持部と、前記把持部の両端から一の方向に延設された２つのアーム部と、前記アーム部の前記把持部とは反対側の端部に、前記把持部の長手方向に突出させて設けられた支軸とを備え、
前記本体部は、前記取っ手の前記支軸を係止する軸受部と、前記アーム部の端部にその回動方向から当接し、前記取っ手が全開位置にある状態で、前記把持部が前記本体部の重心と前記支軸とを結ぶ直線よりも前記取っ手の可倒側に位置するとともに、前記本体部の収納姿勢において、前記取っ手の全開位置での角度が鉛直下方に対して１８０度未満となるように、前記取っ手の回動範囲を制限する回動角度設定部とを備えるトナーカートリッジ。
【請求項３】
前記取っ手が全開位置にある状態で、前記支軸が前記軸受部より離脱する方向から前記アーム部に当接して、前記支軸が前記軸受部から離脱するのを防止する抜止部を備える請求項２に記載のトナーカートリッジ。
【発明の詳細な説明】
【技術分野】
【０００１】
本発明は、トナーカートリッジ、特に、本体部に対して、支軸を中心として回動可能に取り付けられた取っ手を備えたトナーカートリッジに関する。
【背景技術】
【０００２】
複写機や現像装置等で用いられるトナーカートリッジであって、充填トナー量の多いものは、交換作業や持ち運びを容易に行うことができるようにするために取っ手を備えているものが多い。従来は、持ち易さ等を考慮し、トナーカートリッジの収納姿勢における重心上に取っ手を取付け、本体から外れないようにビス等の抜止部材を使用して固定していた。
この種の技術には、例えば、門型の取っ手の端部に孔を形成し、この孔に本体部に設けられた支軸を挿通することで、回動可能な状態で取っ手を取付けてあるトナーカートリッジがある（例えば、特許文献１参照）。
しかし、このトナーカートリッジは、取っ手の取付けに係る部品点数が多く、取っ手の取付けに手間がかかるという問題があった。
これに対し、近年においては、安価な樹脂を用いて門型の取っ手を製作すると共に、この取っ手の端部に支軸を設け、取っ手の弾性を利用して本体部に設けた軸受部に前記支軸を嵌め込むように構成したトナーカートリッジが製品化されている。
【０００３】
【特許文献１】特開平１０−２０７２３１号公報
【発明の開示】
【発明が解決しようとする課題】
【０００４】
しかしながら、上述したトナーカートリッジは、取っ手の回動角度が大きいために、持ち運びの時等にトナーカートリッジが安定しないという問題があった。更に、取っ手の回動角度が大きいことで、持ち運びの時等に、取っ手がトナーカートリッジの本体部への取付け位置にまで回動して外れる等して、トナーカートリッジを損傷させる虞があった。
【０００５】
本発明は上記の問題に鑑みてなされたものであり、その目的は、本体部に対して取っ手を安定させると共に、取扱い容易なトナーカートリッジを実現する点にある。
【課題を解決するための手段】
【０００６】
〔特徴構成１〕
この目的を達成するための本発明に係る、本体部に対して、支軸を中心として回動可能に取り付けられた取っ手を備えたトナーカートリッジの第一特徴構成は、前記本体部は、前記取っ手が全開位置にある状態で、前記取っ手の把持部が前記本体部の重心と前記支軸とを結ぶ直線よりも前記取っ手の可倒側に位置するとともに、前記本体部の収納姿勢において、前記取っ手の全開位置での角度が鉛直下方に対して１８０度未満となるように、前記取っ手の回動範囲を制限するように構成されている点にある。
【０００７】
ここで、本体部の収納姿勢とは、トナーカートリッジを画像形成装置等の装置の内部に収容する際における、本体部の姿勢のことである。
即ち、本第一特徴構成によれば、取っ手を、全開位置にある状態で、取っ手の把持部が本体部の重心と支軸とを結ぶ直線よりも取っ手の可倒側に位置するように取っ手の回動範囲を制限したので、持ち運びの時等に取っ手が本体部によりそれ以上回動しないように制限された全開状態となって、トナーカートリッジを安定した姿勢に容易に保つことができる。また、本体部の収納姿勢における取っ手の回動範囲を鉛直下方に対して１８０度未満に制限したことにより、トナーカートリッジを収容する際、取っ手が自動的に倒れて収納位置に収まるので、取扱いが容易となる。
【０００８】
〔特徴構成２〕
この目的を達成するための本発明に係る、本体部に対して、支軸を中心として回動可能に取り付けられた取っ手を備えたトナーカートリッジの第二特徴構成は、前記取っ手は、把持部と、前記把持部の両端から一の方向に延設された２つのアーム部と、前記アーム部の前記把持部とは反対側の端部に、前記把持部の長手方向に突出させて設けられた支軸とを備え、前記本体部は、前記取っ手の前記支軸を係止する軸受部と、前記アーム部の端部にその回動方向から当接し、前記取っ手が全開位置にある状態で、前記把持部が前記本体部の重心と前記支軸とを結ぶ直線よりも前記取っ手の可倒側に位置するとともに、前記本体部の収納姿勢において、前記取っ手の全開位置での角度が鉛直下方に対して１８０度未満となるように、前記取っ手の回動範囲を制限する回動角度設定部とを備える点にある。
【０００９】
即ち、同第二特徴構成によれば、取っ手を簡易な構成で実現することができ、取っ手の本体部への取付けに係る部品点数を低減することができる。そして、取っ手を、全開位置にある状態で、取っ手の把持部が本体部の重心と支軸とを結ぶ直線よりも取っ手の可倒側に位置するように取っ手の回動範囲を制限したので、持ち運びの時等に、トナーカートリッジを安定した姿勢に容易に保つことができる。また、本体部の収納姿勢における取っ手の回動範囲を鉛直下方に対して１８０度未満に制限したことにより、トナーカートリッジを現像装置等に収容する際、取っ手が自動的に倒れて収納位置に収まるので、取扱いが容易となる。
【００１０】
〔特徴構成３〕
この目的を達成するためのトナーカートリッジの第三特徴構成は、前記取っ手が全開位置にある状態で、前記支軸が前記軸受部より離脱する方向から前記アーム部に当接して、前記支軸が前記軸受部から離脱するのを防止する抜止部を備える点にある。
即ち、同第三特徴構成によれば、取っ手が全開位置にある状態、つまり、トナーカートリッジの持ち運びの時等に、取っ手がトナーカートリッジから離脱する等して、トナーカートリッジが損傷等するのを防止することができる。
【発明を実施するための最良の形態】
【００１１】
本発明に係るトナーカートリッジの第一実施形態について図面に基づいて説明する。
ここで、図１は、本発明に係るトナーカートリッジ１を示しており、このトナーカートリッジ１は、複写機や現像装置等で用いられ、本体部２と、取っ手の一例として、本体部２の上面に収容可能に構成された可倒収納式取っ手３とを備えている。図２は、本体部２と可倒収納式取っ手３の斜視図であり、図３は、可倒収納式取っ手３を本体部２に取付け、全開位置まで回動させた状態におけるトナーカートリッジ１の断面図である。図４（ａ）は、可倒収納式取っ手３を本体部２に取付け、全開位置まで回動させた状態におけるトナーカートリッジ１の部分拡大図、図４（ｂ）は、可倒収納式取っ手３を本体部２に収納したときのトナーカートリッジ１の部分拡大図である。図５は、複写機や現像装置等に取付ける際のトナーカートリッジ１の収納姿勢を示している。
【００１２】
可倒収納式取っ手３は、弾性を有する安価な樹脂で作製されており、支軸６を中心として回動可能に構成され、本体部２に対し取付可能且つ収容可能に構成されている。そして、図２に示すように、把持部４と２つのアーム部５及び支軸６とを備え、略コ字型に形成されている。
【００１３】
可倒収納式取っ手３の把持部４は、略角柱状に形成されている。２つのアーム部５は、把持部４の両端から一の方向に延設されている。アーム部５は、把持部４とは反対側の先端部に、可倒収納式取っ手３の開動作時の回動方向に突出する厚み増加部５ａが形成されている。厚み増加部５ａは、可倒収納式取っ手３が全開位置若しくは全開位置から所定の範囲内にあるときに、その内側側面が抜止部９に当接することにより、支軸６が軸受部７から離脱して可倒収納式取っ手３が本体部２から外れるのを防止する。また、厚み増加部５ａは、可倒収納式取っ手３が全開位置にある状態で、回動方向側面が回動角度設定部８に当接し、可倒収納式取っ手３が全開位置を越えて回動するのを阻止する。支軸６は、アーム部５の先端部に、把持部４の長手方向に突出させて設けられており、略円柱形に形成されている。本実施形態では、アーム部５の先端部側面から、外方に向けて形成してある。
【００１４】
本体部２は、図２乃至図４に示すように、収納姿勢における上面の中央に、凹状の可倒収納式取っ手３の収納部１０を備えている。そして、可倒収納式取っ手３が全開位置若しくは全開位置から所定の範囲内にあるときは、支軸６が軸受部７から離脱しないように構成され、それ以外の位置では、可倒収納式取っ手３をたわませることにより、支軸６が軸受部７から離脱可能に構成されており、可倒収納式取っ手３の取付け及び取外し可能に構成されている。収納部１０には、可倒収納式取っ手３の支軸６を支持する軸受部７と、回動角度設定部８と、抜止部９とが形成されている。尚、トナーカートリッジ１の本体部２の収納姿勢は、図５に示すように、複写機や現像装置等に収納する際の姿勢であり、完全に収納されたときの姿勢だけでなく、本体部２が完全に収容されていない収容途中の姿勢も含む。
【００１５】
軸受部７は、図２に示すように、円形の孔であり、収納部１０の側面に形成されている。その大きさは、可倒収納式取っ手３の支軸６に応じて設定する。更に、軸受部７の設置位置は、図３に示すように、可倒収納式取っ手３が回動角度設定部８によりそれ以上回動しないように制限された全開位置にある状態で、可倒収納式取っ手３の把持部４が本体部２の重心と支軸６とを結ぶ直線よりも可倒収納式取っ手３の可倒側に位置するように設定する。
【００１６】
回動角度設定部８は、図４（ａ）に示すように、３つの梁部材で構成されており、可倒収納式取っ手３が全開位置にあるときに、アーム部５の支軸６よりも先端部側の位置に、可倒収納式取っ手３の開動作における回動方向から当接するように設定されている。更に、本実施形態では、回動角度設定部８を、２つのアーム部５の夫々に対して２ヶ所に形成する。そして、図３に示すように、本体部２が収納姿勢にある状態、ここでは本体部２の上面が略水平な状態で、全開位置における可倒収納式取っ手３の鉛直下方に対する可倒側の角度を１８０度未満に制限するように構成してある。本実施形態では、前記角度は、本体部２が収納姿勢にある状態で自然に倒れるように、且つ、持ち易さを考慮して、鉛直下方に対して、１７５度から１７７度になるように設定してある。
【００１７】
抜止部９は、可倒収納式取っ手３が全開位置若しくは全開位置から所定の範囲内にあるときに、支軸６の離脱方向からアーム部５に当接して、支軸６が軸受部７から離脱するのを防止する。本実施形態では、可倒収納式取っ手３が全開位置にあるときに、アーム部５の内側側面に当接する面が抜止部９を構成している。アーム部５の内側側面に当接する面を設けることで、可倒収納式取っ手３が全開位置若しくは全開位置から所定の範囲内にあるときに、可倒収納式取っ手３のアーム部５が内側に弾性変形するのを防止して、支軸６が軸受部７より外れるのを確実に防止する。
【００１８】
更に、本体部２の収納部１０には、可倒収納式取っ手３が収納部１０に収納された状態、つまり、可倒収納式取っ手３が全閉位置にある状態で、把持部４に当接して可倒収納式取っ手３のがたつきを抑える係止部１１が形成されている。この係止部１１は、梁状部材で構成され、収納部１０の側面に設けられている。また、収納部１０には、把持部４の略中央部が接する面に凹部１２が設けられ、可倒収納式取っ手３が全閉位置にある状態から把持部４を把持し易いように構成されている。
【００１９】
可倒収納式取っ手３の本体部２への取付けは、その弾性を利用してアーム部５の先端部を内側に弾性変形させ、軸受部７に嵌め込んで行う。取付けに際しては、アーム部５が抜止部９に当接しないように、可倒収納式取っ手３が略全閉位置にある状態で、軸受部７に支軸６を嵌め込む。
【００２０】
尚、上述した実施形態では、可倒収納式取っ手３の支軸６を外方に向けて形成したが、内方に向けて設置するのも好ましい実施態様である。この場合には、本体部２の軸受部７及び抜止部９は、上述した実施形態とは支軸６を介して逆の位置に形成される。
また、上述した実施例では、回動角度設定部８を、支軸６より先端部側に設けたが、支軸６より把持部４側に設けるのも好ましい実施態様である。この場合にも、回動角度設定部８は、把持部４の開動作における回動方向からアーム部５の側面に当接するように設定する。更に、回動角度設定部８を１箇所にのみ設置する構成であっても良い。何れの構成にしても、本発明の目的を達成することができる。
【図面の簡単な説明】
【００２１】
【図１】本発明に係るトナーカートリッジの斜視図
【図２】本発明に係るトナーカートリッジの本体及び可倒収納式取っ手の斜視図
【図３】本発明に係るトナーカートリッジの断面図
【図４】本発明に係るトナーカートリッジの可倒収納式取っ手周辺の部分拡大図
【図５】本発明に係るトナーカートリッジの収納姿勢を示す斜視図
【符号の説明】
【００２２】
１    トナーカートリッジ
２    本体部
３    可倒収納式取っ手
４    把持部
５    アーム部
６    支軸
７    軸受部
８    回動角度設定部
９    抜止部
１０  収納部
【図１】
2005274652.tif 000003
【図２】
2005274652.tif 000004
【図３】
2005274652.tif 000005
【図４】
2005274652.tif 000006
【図５】
2005274652.tif 000007